(57)【要約】【課題】表示される動画像にストーリー性を付与したり、そのストーリーの展開に変化を付けたり、オプション機能やイベント性等を付与したりすることで、動画像の鑑賞者に、あたかも動画像の登場人物になったかのような臨場感や経時感覚を与える。【解決手段】オープニング画面処理部１１はオープニング画面、下車中モード処理部１３は下車中の画面、コントローラーモード処理部１２は時刻表示に代わる画面、オプション機能画面処理部はオプション処理に必要な画面（静止画像）を、それぞれスクリーンセーバーモード処理部１２に出力する。スクリーンセーバーモード処理部１２は、車窓から見た風景等の動画像に、必要に応じて前記静止画像の一部を重ね合わせて出力する。また、タイミングに応じて、前記静止画像の一部を、単独に出力する。【選択図】      図１
2004363939.tif 000002
【特許請求の範囲】
【請求項１】
パーソナルコンピュータまたは業務用のコンピュータ上で音声データを含むビデオデータを再生・表示することができるビデオ再生処理システムにおいて、
再生・表示される動画像データに、静止画画像データ及び追加音声データを合成することにより、映像表示開始時点からの動画像にストーリー性を付与する手段を備えたことを特徴とするビデオ再生処理システム。
【請求項２】
前記再生・表示される動画像データに、静止画画像データを挿入することにより、前記静止画画像データに対応するユーザー用の入力画面を表示することができる機能を備えたことを特徴とする請求項１記載のビデオ再生処理システム。
【請求項３】
前記パーソナルコンピュータまたは前記業務用のコンピュータの表示装置の表示画面の片隅に、ユーザーが時計代わりに参照することができる動画アイコンを表示する機能を備えたことを特徴とする請求項１または請求項２記載のビデオ再生処理システム。
【請求項４】
前記再生・表示される動画像データに、静止画画像データ及び追加の音声データを合成することにより、前記静止画画像データ及び追加音声データに対応する表示画面を参照するオプション機能を実現したことを特徴とする請求項１乃至３のいずれか１項に記載のビデオ再生処理システム。
【請求項５】
前記再生・表示される動画像データに、前記動画像データ中の予め定められたデータが再生・表示されるタイミング、若しくは予め設定された所定の時刻で所定の静止画画像データ及び所定の追加音声データが再生・表示されるように前記所定の静止画画像データ及び前記所定の追加音声データを合成することにより、前記所定の静止画画像データ及び前記所定の追加音声データに対応する表示画面を使用したイベント機能を実現することを特徴とする請求項１乃至４のいずれか１項に記載のビデオ再生処理システム。
【請求項６】
前記静止画画像データ及び前記追加音声データを、サーバーが設置するデータベース、若しくは他のユーザーのパーソナルコンピュータまたは業務用のコンピュータが設置するデータベースから取り寄せることを特徴とする請求項１乃至５のいずれか１項に記載のビデオ再生処理システム。
【発明の詳細な説明】
【０００１】
【発明の属する技術分野】
本発明はビデオ再生処理システムに係り、特に、パーソナルコンピュータ等のコンピュータ端末において、ストーリー性やイベント性を付与した動画像を再生することができて、スクリーンセーバーとしても使用することができるビデオ再生処理システムに関する。
【０００２】
【従来の技術】
従来、ビデオ再生処理システムは、パーソナルコンピュータ等のコンピュータ端末で使用されるアプリケーションプログラムにより実現され、例えば、スクリーンセーバーとしても使用することができる観賞用動画像の再生処理システムが提供されている。このスクリーンセーバーは、当初は、ディスプレイ装置画面の焼き付きを防止する目的で提供されたアプリケーションであったが、現在では、ディスプレイ装置の進歩により、このスクリーンセーバー本来の目的は消失している。
【０００３】
しかし、このスクリーンセーバーのアプリケーションは、現在でも、作業者が、パソコン作業を一時休憩して、一息入れる時などに使用されており、この目的のために、スクリーンセーバーでも、作業者がくつろぐことができるような動画像が提供されている。けれども、従来のビデオ再生処理システムの再生方法では、記録されている動画像をそのまま加工しないで再生するだけであり、動画像の内容もアニメーション等の単純な動画像である場合が多かった。
【０００４】
なお、従来の動画像再生処理システムとしては、動画像の再生位置を所定時間単位でＲＡＭに記憶しておき、再生が中断されて、その後に再生される時には、前記ＲＡＭが記憶していた最も古い再生位置からの再生を行い、また、この再生に際しては、まず、前記最も古い再生位置での静止画の再生（再生ポーズ）を行い、その後、ユーザにより前記再生ポーズが解除されると、その続きを、通常の動画像として再生する技術が開示されている（例えば、特許文献１参照。）。
【０００５】
【特許文献１】
「特開２００２−２２３４１１号公報」
【０００６】
【発明が解決しようとする課題】
ところで、上記従来のビデオ再生処理システムは、前述のとおり、パーソナルコンピュータ等のコンピュータ端末で、例えば、スクリーンセーバーとしても使用することができるが、記録されている動画像をそのまま加工しないで再生するだけであり、動画像の内容もアニメーション等の単純な動画像である場合が多かった。また、反復再生されても、ストーリー自体は変化せず、いつも同じ映像と音声が流されるだけであったので、ユーザーには単調と感じられ、スクリーンセーバーとして使用される場合にも、飽きられ易いという問題点があった。
【０００７】
このため、上記従来のビデオ再生処理システムは、新製品の展示会や、デモンストレーション等の業務用に使用される場合にも、顧客へのプレゼンテーション能力に乏しく、会場の熱気を盛り上げる効果は期待できなかった。
また、例えば、前記特許文献１に開示された技術では、従来のビデオ再生装置の機能と大差がなく、本発明のように、例えば、列車の車窓から眺めた風景を動画像として提供する場合、観賞しているユーザーに対して、あたかも列車の乗客としての臨場感を高めさせる効果や、一旅行者としての時間経過を感じさせるような効果は付与されていなかった。
【０００８】
また、動画像を観賞しているユーザーに対して、あたかも自己が登場人物の一旅行者であるかのような擬似体験（例えば、切符の購入）をさせたり、ストーリー展開に変化を付けたり、イベント性（例えば、乗り合わせた他の乗客からの発声）を加味することはできなかった。
また、列車の運行を仮想の時刻表に合わせることや、列車の種類（特急、急行、普通等）や、路線、電鉄会社の種別等によって、車窓風景を含む動画像の内容を変えることができなかった。
【０００９】
さらに、従来のスクリーンセーバーの場合は、動画像がディスプレイ画面一杯に表示される機能だけであり、ディスプレイ画面の片隅に小面積の動画像を時計代わりに表示する機能までは提供されていなかった。
【００１０】
本発明は、上記従来の問題点に鑑みてなされたものであって、表示される動画像にストーリー性を付与したり、そのストーリーの展開に変化を付けたり、オプション機能やイベント性等を付与したりすることで、動画像の鑑賞者に、あたかも動画像の登場人物になったかのような臨場感や経時感覚を与えることができるビデオ再生処理システムを提供することを目的としている。
【００１１】
本発明の他の目的は、表示される動画像にストーリー性を付与したり、そのストーリーの展開に変化を付けたり、オプション機能やイベント性等を付与したりすることで、動画像の鑑賞者に、あたかも動画像の登場人物になったかのような臨場感や経時感覚を与えることができるスクリーンセーバーとしても機能するビデオ再生処理システムを提供することにある。
【００１２】
【課題を解決するための手段】
上記課題を解決するために、本発明に係るビデオ再生処理システムは、パーソナルコンピュータまたは業務用のコンピュータ上で音声データを含むビデオデータを再生・表示することができるビデオ再生処理システムにおいて、再生・表示される動画像データに、静止画画像データ及び追加音声データを合成することにより、映像表示開始時点からの動画像にストーリー性を付与する手段を備えたことを特徴とする。
このような構成により、表示される動画像にストーリー性を付与したり、そのストーリーの展開に変化を付けたりすることが可能となる。
【００１３】
また、前記再生・表示される動画像データに、静止画画像データを挿入することにより、前記静止画画像データに対応するユーザー用の入力画面を表示することができる。
このような構成により、動画像によるストーリー展開を、部分的に挿入した静止画像により、一層変化に富んだものに構成することができる。
【００１４】
また、前記パーソナルコンピュータまたは前記業務用のコンピュータの表示装置の表示画面の片隅に、ユーザーが時計代わりに参照することができる動画アイコンを表示する機能を備える。
このような構成により、前記パーソナルコンピュータまたは前記業務用のコンピュータのユーザーは、本教務で、コンピュータを使用している時にも、時計代わりの動画アイコンを参照することができる。
【００１５】
また、前記再生・表示される動画像データに、静止画画像データ及び追加の音声データを合成することにより、前記静止画画像データ及び追加音声データに対応する表示画面を参照するオプション機能を実現することが可能である。
このような構成により、ユーザーによって画面情報を変化させたり、加工したり、保存したりすることが可能となり、また、ユーザーに、様々なシミュレーション（擬似体験）を実行せしめることが可能となる。
【００１６】
また、前記再生・表示される動画像データに、前記動画像データ中の予め設定された所定のデータが再生・表示されるタイミング、若しくは予め設定された所定の時刻で所定の静止画画像データ及び所定の追加音声データが再生・表示されるように前記所定の静止画画像データ及び前記所定の追加音声データを合成することにより、前記所定の静止画画像データ及び前記所定の追加音声データに対応する表示画面を使用したイベント機能を実現することができる。
このような構成により、前記表示・再生される動画像データに、一層細やかな変化を付けることが可能となる。
【００１７】
さらに、前記静止画画像データ及び前記追加音声データを、サーバーが設置するデータベース、若しくは他のユーザーのパーソナルコンピュータまたは業務用のコンピュータが設置するデータベースから取り寄せることが可能である。
このような構成により、前記パーソナルコンピュータまたは業務用のコンピュータのデータベース負担を軽減することができるとともに、動画像データを修飾するための材料を豊富に使用することが可能となる。
【００１８】
【発明の実施の形態】
以下、本発明のビデオ再生処理システムの実施の形態について、図面を参照して詳細に説明する。
【００１９】
図１は、本発明の実施形態に係るビデオ再生処理システムの全体的なプログラム構成を示すプログラム構成図である。
同図において、本実施形態のビデオ再生処理システムは、各モードの動画像を処理するアプリケーションプログラム１と、アプリケーションプログラム１から出力されるビットマップデータとビデオデータとをミキシングする（ビットマップ／ビデオ）ミキシシング処理部２と、映像データを映像表示し、音声データを音声再生するオペレーティングシステム３とを備えている。
【００２０】
アプリケーションプログラム１は、出発地点等のイントロ画面を処理するオープニング画面処理部１１と、スクリーンセーバーモードとして乗車中の動画像処理を行うスクリーンセーバーモード処理部１２と、下車中モードとして券売機や売店等画像処理を行う下車中モード処理部１３と、コントローラーモードとして時刻や進行状態等の表示処理を行うコントローラーモード処理部１４と、動画像の出力処理（コード化処理）を行うビデオ処理部１６と、静止画像の出力処理（コード化処理）を行う静止画描画処理部１７とを備える。
【００２１】
オペレーティングシステム３は、ビデオデータと音声データを復号化する（ビデオ／音声）デコード部３１と、映像データを表示する映像表示部３２と、音声データを再生する音声再生部３３とを備える。
本システムは、個人用のコンピュータや業務用のコンピュータに設置することが可能である。
【００２２】
以下、本実施形態に係るビデオ再生処理システムが有する各構成要素（プログラム）について説明する。
アプリケーションプログラム１は、下車中モード、スクリーンセーバーモード、コントローラーモード等の画像を、後述するサーバー７１や他のクライアントのデータベースから入力して音声を含むビデオデータ及び静止画像として出力する。
【００２３】
より具体的には、スクリーンセーバーモード処理部１２は、乗車中の動画像をデータベースから入力するとともに、他の構成要素（下車中モード処理部１３、コントローラーモード処理部１４、及びオプション機能画面処理部）から出力される静止画像データの他、後述するサーバー７１や他のクライアントのデータベースから提供される静止画像データを入力して動画像（ビデオ画像データ）及び静止画像（ビットマップデータ）に加工し、設定されている時刻表と現在時刻に合わせて出力する。この乗車中の動画像には、車窓から見た風景や、前記車窓の窓枠回りの画像等が含まれる。下車中モード処理部１３、コントローラーモード処理部１４、及びオプション機能画面処理部の機能は、このスクリーンセーバーモード処理部１２を介して実現される。
【００２４】
また、スクリーンセーバーモード処理部１２は、イベント処理を行うことができる。このイベント処理とは、列車の走行中に通過する様々な対象（例えば、沿線の景色、建物、鉄橋、トンネル、観光名所、旅館などの店舗や施設）に対して、列車が通過するタイミングで、ガイドの文章、動画、及び音声（声、効果音）などを再生する機能のことである。このイベントは、特定の時刻に発生するとは限らず、不定期に発生するように構成してもよい。例えば、車掌や、他の乗客が話しかけてきたり、社内販売がやって来たりするようなタイミングでイベントを発生させることができる。
【００２５】
さらに、スクリーンセーバーモード処理部１２のイベント処理は、映像の表示に同期した時刻管理を行って、各時刻毎に予め設定されたイベントを、この設定された時刻のタイミングで行うことができる（時刻同期イベント処理）。この場合、各イベントの実行時刻を含む記述は、スクリーンセーバーモード処理部１２が利用できるデータベース（自己が保持するデータベースの他、後述するサーバー７１のデータベースが利用できる）に記録しておき、現在時刻をキーにして前記データベースを検索し（イベントチェック）、現在時刻に一致するイベントの記述を取り出す。この取り出したイベントの記述本文（イベント情報）は、前記イベントのタイプに応じて行うことが可能であり、例えば、ガイド文章の表示、音声データ（音声ガイド等）の再生などを実行することができる。
【００２６】
また、スクリーンセーバーモード処理部１２は、このイベント情報の表示に際しては、沿線の旅館、店舗、特産品などの広告、その他沿線の情報などを画面上に表示することができる。さらに、この際、映像上の目標物に重ね合わせるように表示して、前記両者の関係を分かり易く関連付けることもできる。なお、その際には、背景の映像を透過または非透過とすることができる。
下車中モード処理部１３は、券売機や売店の画像を、後述するサーバー７１や他のクライアントのデータベースから入力して静止画像としてスクリーンセーバーモード処理部１２に出力する。
【００２７】
コントローラーモード処理部１４は、後述するサーバー７１や他のクライアントのデータベースから入力するとともに、時刻表示や列車の進行状況を表示する小面積の動画像データ（以下、「動画アイコン」と呼称する）を生成して（但し、ビットマップデータを生成）スクリーンセーバーモード処理部１２に動画像データとして出力する。
オプション機能画面処理部１５は、記念スタンプ機能画面、コレクション機能画面、他のユーザーとのコミュニケーション機能画面、ネットワークゲーム機能画面、広告表示画面、通信販売機能画面等の組材データを、後述するサーバー７１や他のクライアントのデータベースから入力して静止画像に加工した上でスクリーンセーバーモード処理部１２に出力することができる。
【００２８】
これにより、オプション機能画面処理部１５は、ユーザーに提供する機能として、表示された乗り物（以下、列車と同じ意味とする）の窓に、ユーザーが自由に絵を書き、背景の動画像の上に合成表示せしめることが可能な「落書き機能」を実現することができる。
また、オプション機能画面処理部１５は、乗り物の窓内に表示される動画像など、ユーザーが気に入った場面の画像を、ユーザーの釦操作によりローカルディスク（図示は省略）上に画像ファイルとして保存することができる「風景スナップショット機能」を実現することができる。
【００２９】
また、オプション機能画面処理部１５は、スクリーンセーバーモードにおいて、画面のイメージ全体を、ユーザーの好みの色合いや装飾に変更することができる機能、例えば、表示された乗り物の周囲の小物置きに、ミカンや、缶ジュースなどを置いたり、窓脇のフックに洋服やバッグを架けたりせしめることが可能な「ユーザーによる画面カスタマイズ機能」を実現することができる。この機能は、後述するサーバー７１上に設置された画像ファイルや、ユーザー自身が独自に作成し、登録しておいた画像ファイルから任意に選ぶことにより実現することができる。
【００３０】
また、オプション機能画面処理部１５は、ユーザー毎にスタンプ帳を用意し、乗り物を降りた所（ホーム等）に表示されたスタンプ台模擬画面（図示は省略）にて、その場所や駅で用意された記念スタンプを押し、保存することができる「記念スタンプ帳機能」を実現することができる。なお、このスタンプの画像には、日時が表示される。また、ユーザーは、このスタンプ帳を、スタンプ帳表示画面にて、後で閲覧することができるように構成することができる。
【００３１】
また、オプション機能画面処理部１５は、ユーザーに、行き先毎の名産品や、お弁当（駅弁など）の買い物シミュレーションを実行せしめ、さらに、この買い物をコレクションせしめる「買い物コレクション機能」を実現することができる。なお、この機能は、買い物として表示される商品の広告としても使用することができる。
【００３２】
また、オプション機能画面処理部１５は、商品の広告表示を実現し、表示された商品をユーザーにオーダーせしめる「商品オーダー（通信販売）機能」を実現することができる。なお、この画面の商品情報は、後述するサーバー７１に蓄積された情報を基に、クライアント（ここでは、本システムのユーザー）の端末の表示画面上に表示し、この中から、ユーザーが好みの商品を選択してオーダーした時点でサーバー７１にその情報を送信するように構成して実現することができる。
【００３３】
また、オプション機能画面処理部１５は、表示されるアプリケーションの外観を変更できる「アプリケーションの外観変更機能」を実現することができる。なお、この機能は、ユーザーが、窓枠や小物などの画像データをサーバー７１に予め複数用意しておいて、ユーザーが、その一覧表示から好みで選択して、アプリケーションの外観を変更せしめるように構成することができる。
【００３４】
ビデオ処理部１６は、動画像データの符号化処理を行い、静止画描画処理部１７は、静止画像（ビットマップデータ）の符号化処理を行って、いずれも（ビットマップ／ビデオ）ミキシシング処理部２に出力する。
【００３５】
（ビットマップ／ビデオ）ミキシシング処理部２は、アプリケーションプログラム１から出力されるビットマップデータとビデオデータとをミキシングして、動画像データ（ビデオデータ）としてオペレーティングシステム３に出力する。また、一部の静止画像（ビットマップデータ）は、そのままオペレーティングシステム３に出力する。
【００３６】
オペレーティングシステム３は、前記動画像データと静止画データを映像として表示するとともに、動画像データに含まれる音声データを音声として再生する。より具体的には、（ビデオ／音声）デコード部３１が前記動画像データを入力してビデオデータと音声データに分離し、このビデオデータと音声データの各々を復号化して、ビデオデータを映像表示部３２に送出し、音声データは音声再生部３３に送出する。
【００３７】
映像表示部３２は、（ビットマップ／ビデオ）ミキシシング処理部２から送出される一部の静止画像（ビットマップデータ）と（ビデオ／音声）デコード部３１から送出されるビデオデータとを重ね合わせて映像として表示する。また、音声再生部３３は、（ビデオ／音声）デコード部３１から送出される音声データを音声として再生する。
【００３８】
図２は、本発明の実施形態に係るビデオ再生処理システムのスクリーンセーバーモードに関する処理から見たプログラムモジュールの１構成例を示す構成図である。
【００３９】
同図において、本実施形態に係るプログラムモジュールは、その一部がオペレーティングシステムが備えるプログラムモジュール（フィルター）を用いて構成され、後述するビデオ情報フィルター４５を構築するためのフィルター部構築用アプリケーション４１と、オペレーティングシステムが具備するフィルター部管理システム４２と、各種のビットマップデータを供給するビットマップイメージ供給用アプリケーション４３と、オペレーティングシステムが具備するフィルター部インターフェース４４と、スクリーンセーバーモードでの映像・音声処理を行うビデオ情報フィルター４５とを備える。
【００４０】
ビデオ情報フィルター４５は、ビットマップデータをビデオ情報に変換するビットマップ・ビデオ変換部４５１と、音声データを含む動画像データを記録している映像・音声ＤＢ４５２（データベース）と、前記音声データを含む動画像データからビデオ情報とオーディオ情報とを分離して各々を符号化するビデオ／オーディオ分離部４５３とを備える。また、ビデオ情報フィルター４５は、ビデオ情報を復号化するビデオ情報デコード部４５４と、オーディオ情報を復号化するオーディオ情報デコード部４５５とを備える。
【００４１】
さらに、ビデオ情報フィルター４５は、静止画像のビデオ情報と、動画像のビデオ情報とを混合するとともにビデオ画像として表示するビデオ情報混合表示部４５６と、オーディオ情報を音声として再生するオーディオ情報再生部４５７とを備える。
【００４２】
図２において、ビットマップイメージ供給用アプリケーション４３は、図１に示すオープニング画面処理部１１、下車中モード処理部１３、オプション機能画面処理部１５、及びコントローラーモード処理部１４に対応する。
また、図２において、ビデオ情報フィルター４５は、図１に示すスクリーンセーバーモード処理部１２、ビデオ処理部１６、静止画描画処理部１７、（ビットマップ／ビデオ）ミキシング処理部２、及びオペレーティングシステム３に対応する。
【００４３】
フィルター部構築用アプリケーション４１は、オペレーティングシステムが備えるプログラムモジュール（フィルター）を用いて、ビデオ情報フィルター４５の一部モジュール（フィルター機能を備えたモジュール）を構築し、かつインストールする。
フィルター部管理システム４２は、前記のビデオ情報フィルター４５の一部モジュールの構築を管理するとともに、構築されたビデオ情報フィルター４５の動作を支援・管理する。
【００４４】
図３は、本発明の実施形態に係るビデオ再生処理システムのビデオ情報フィルターの原理を示す説明図である。
図２に示す映像・音声ＤＢ４５２（データベース）に記録されている音声データを含む動画像データは、ビデオ情報フィルター４５の前記一部モジュール（フィルター機能を備えたモジュールであり、ここではソフトウエア演算フィルター４５Ａで示す）によって、濾過やサンプリングの処理を受ける。この濾過処理やサンプリング処理のアルゴリズムは、ソフトウェア（プログラムステップ）として実現され、その出力が、最終的には映像・音声再生機器４５Ｂで表示・再生される。
【００４５】
一般に、風景などのビデオデータや音声データは情報量が多いため、季節毎や時間帯毎の様々な場面を全て用意するように構成すると、データ量が大変に多くなるという問題点がある。本実施形態に係るビデオ再生処理システムのビデオ情報フィルターは、この問題点を解消する手段として、ビデオデータの表示・再生時に、ソフトウェアで実行する演算を行ってフィルター処理を施している。これより、設定に合わせた画質の映像を表示したり、設定に合わせた音質の音声を再生している。
【００４６】
また、このビデオ情報フィルター（ソフトウエア演算フィルター４５Ａ）は、予めサーバーまたは他のクライアントのデータベース上に記録されている１種類のビデオ情報を基に、時間帯毎の明るさ、コントラスト、色などの制御パラメータを付与し、この制御パラメータによるフィルター処理をソフトウエア制御の演算で行うことにより、実際の時間帯毎の風景に近い映像を得ることができる。さらに、降雨、降雪、霧、雷などの画像を、このソフトウエア制御の演算による合成フィルターで処理し、現実に近い映像を得ることができる。この映像の合成は、マスク処理による重ね合わせ、若しくはアルファ合成（透過合成）により行うことができる。
【００４７】
また、音声処理については、予めサーバーまたは他のクライアントのデータベース上に記録されている１種類の音声データを基に、状況に応じた音の変化を再現することができる。即ち、ソフトウェア制御の演算により、音声フィルターに対して音量や周波数帯域毎のゲインなどのパラメータを付与することにより、現実に近い音声を再生することができる。これにより、例えば、列車の窓を閉めた際に、環境音の聞こえ方が変化する様子をシミュレーションすることができる。また、複数チャンネルにより音声を再生する場合、音の種類により、音の聞こえてくる位置を変化せしめたり、その場の臨場感が得られるような立体的な音の定位や反響効果などを得ることも、前述のソフトウェア制御の演算によるフィルター処理により可能である。
【００４８】
図４は、本発明の実施形態に係るビデオ再生処理システムのコントローラーモードの処理により最終的に表示される時刻表示や列車の進行状況を表示する動画アイコンの１例を示す説明図である。
同図（ａ），（ｂ）において、動画アイコンには、現在時刻、駅間距離、列車の現時点での外観、路線上の鉄橋等の構築物を主体とする風景（アニメーション）、モードの切り替え等の機能を有する操作釦等の情報を表示する。図４（ａ）では外観が円形の動画アイコンを示し、図４（ｂ）では外観が矩形の動画アイコンを示したが、本発明では、一般に、動画アイコンの形状は任意であり、また、表示すべき情報も、この動画アイコンが時計代わりに使用されることから時刻等の時間経過情報だけは必須の表示項目として、それ以外の情報項目は任意とすることができる。
【００４９】
図５は、本発明の実施形態に係るビデオ再生処理システムの下車中モードの処理により最終的に表示される券売機の模擬画面の１例を示す説明図である。
同図に示す券売機の模擬画面例は、一般には任意形状とすることができる。
実際に表示される表示画面（表示画面範囲５）の表示範囲は、券売機５１の表示範囲よりも広くとることが可能であり、券売機５１の表示範囲をはみ出した表示領域には、券売システムや、販売会社名等のロゴマーク、広告などを表示することができる。
【００５０】
券売機５１の表示範囲には、現在時刻、先発列車の発車時刻、列車名（上り、下りの区別等を含むことができる）、列車種別（特急、急行、普通等）、電鉄会社別の行き先等を表示することができる。なお、これらの表示項目は、予め、下車中モード処理部１３が利用できるデータベースに記録しておき、これを下車中モード処理部１３が参照して表示することができる。
また、券を買う顧客（ここでは、券売機の模擬画面を鑑賞している本システムのユーザー）が、自己が設定した条件において券を買うことを決定したことを伝える押し釦や、本システムのユーザーが表示画面を操作するための押し釦などを表示することができる。この押し釦類は、ピクチャーを貼り付けたボタンコントロールにより実現することができる。
【００５１】
図６は、本発明の実施形態に係るビデオ再生処理システムのスクリーンセーバーモードの処理により最終的に表示される車窓風景回りの模擬画面の１例を示す説明図である。
同図に示す車窓風景回りの模擬画面例は、一般には任意形状とすることができる。
実際に表示される表示画面（表示画面範囲６）の表示範囲は、車窓枠画像６１の表示範囲よりも広くとることが可能であり、車窓枠画像６１の表示範囲をはみ出した表示領域には、効果を高めるための各種画像（例えば、洋服や小物類）や、広告などを表示することができる。
【００５２】
車窓枠画像６１の表示範囲には、車窓から見た風景画像の他、本システムが用意可能な各種表示画面（例えば、乗車中データ、時刻表、路線表示、リンクページなどの画面）を選択せしめる押し釦類の列や、本システムを操作するための押し釦類（例えば、印刷、終了などの釦）の列の画像を表示することができる。
図７は、本発明の実施形態に係るビデオ再生処理システムを運営するシステム全体のネットワーク構成を示すネットワーク構成図である。
【００５３】
同図に示すように、サーバー７１は、インターネット網（またはＬＡＮ）７２を介してクライアント７１ａ〜７１ｎと通信可能に接続されている。
サーバー７１には、動画データ（風景動画、広告動画など）、静止画データ（風景、広告飾りや、小物の絵など）、文字データ（風景の説明文、広告、その他の情報）、乗り物のデータ（時刻表、路線名、駅名など、または、その他の乗り物の情報）を記録したデータベースを設置することができる。また、ユーザー認証等に参照されるクライアント管理データベースを設置することができる。さらに、接続時間、ユーザー間通信、課金などを記録するためのクライアント通信管理プログラムモジュールを設置することができる。
【００５４】
クライアント７１ａ〜７１ｎ側の端末には、前述の本システムのアプリケーションプログラム、（ビットマップ／ビデオ）ミキシング処理部２、及びオペレーティングシステム３が設置されるものとする。この中には、図２に示すビットマップイメージ供給用アプリケーション４３が含まれる。
なお、クライアント７１ａ〜７１ｎ側の端末間を通信可能に接続することができる。
【００５５】
図８は、本発明の実施形態に係るビデオ再生処理システムのスクリーンセーバーモードの時刻同期イベント処理の動作を示すフローチャートである。
以下、図１を参照し、図８に示すフローチャートを使用して、本実施形態に係るビデオ再生処理システムのスクリーンセーバーモードの時刻同期イベント処理の動作を説明する。
まず、スクリーンセーバーモード処理部１２は、映像出力を開始するに際して、オペレーティングシステム３の計時機能等を使用して、時刻カウントを開始する（ステップＳ１）。
次に、スクリーンセーバーモード処理部１２は、映像出力を開始する（ステップＳ２）。
【００５６】
また、スクリーンセーバーモード処理部１２は、この映像出力の開始と同時に、前述のイベントチェックを行う（ステップＳ３）。このイベントチェックにより、現在時刻に一致するイベントが前述のデータベースに記録されていない場合はステッブＳ３に戻り、イベントチェックを反復する。また、現在時刻に一致するイベントが前述のデータベースに記録されている場合は、ステップＳ４に移る。
ステップＳ４では、前述のイベントの種類に応じた処理を行う。
【００５７】
なお、本発明に係るスクリーンセーバーモード処理部１２、下車中モード処理部１３、コントローラーモード処理部１４、及びオプション機能画面処理部１５の処理の少なくとも一部をコンピュータ制御により実行するものとし、かつ、上記処理を、例えば、図８のフローチャートで示した手順等によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【００５８】
【発明の効果】
以上説明したように、本発明のビデオ再生処理システムによれば、パーソナルコンピュータまたは業務用のコンピュータ上で音声データを含むビデオデータを再生・表示することができるビデオ再生処理システムにおいて、再生・表示される動画像データに、静止画画像データ及び追加音声データを合成することにより、映像表示開始時点からの動画像にストーリー性を付与する手段を備える構成としたので、表示される動画像にストーリー性を付与したり、そのストーリーの展開に変化を付けたりすることが可能なビデオ再生処理システムを提供することができる。
【００５９】
また、前記再生・表示される動画像データに、静止画画像データを挿入することにより、前記静止画画像データに対応するユーザー用の入力画面を表示することができる構成としたので、動画像によるストーリー展開を、部分的に挿入した静止画像により、一層変化に富んだものとするビデオ再生処理システムを提供することができる。
【００６０】
また、前記パーソナルコンピュータまたは前記業務用のコンピュータの表示装置の表示画面の片隅に、ユーザーが時計代わりに参照することができる動画アイコンを表示する機能を備えたので、前記パーソナルコンピュータまたは前記業務用のコンピュータのユーザーは、本教務で、コンピュータを使用している時にも、時計代わりの動画アイコンを参照できるビデオ再生処理システムを提供することができる。
【００６１】
また、前記再生・表示される動画像データに、静止画画像データ及び追加の音声データを合成することにより、前記静止画画像データ及び追加音声データに対応する表示画面を参照するオプション機能を実現することができる構成としたので、ユーザーによって画面情報を変化させたり、加工したり、保存したりすることが可能となり、また、ユーザーに、様々なシミュレーション（擬似体験）を実行せしめることが可能なビデオ再生処理システムを提供することができる。
【００６２】
また、前記再生・表示される動画像データに、前記動画像データ中の予め設定された所定のデータが再生・表示されるタイミング、若しくは予め設定された所定の時刻で所定の静止画画像データ及び所定の追加音声データが再生・表示されるように前記所定の静止画画像データ及び前記所定の追加音声データを合成することができる構成とし、これにより、前記所定の静止画画像データ及び前記所定の追加音声データに対応する表示画面を使用したイベント機能を実現することができるようにしたので、前記表示・再生される動画像データに、一層細やかな変化を付けることが可能なビデオ再生処理システムを提供することができる。
【００６３】
さらに、前記静止画画像データ及び前記追加音声データを、サーバーが設置するデータベース、若しくは他のユーザーのパーソナルコンピュータまたは業務用のコンピュータが設置するデータベースから取り寄せることが可能な構成としたので、前記パーソナルコンピュータまたは業務用のコンピュータのデータベース負担を軽減することができるとともに、動画像データを修飾するための材料を豊富に使用することが可能なビデオ再生処理システムを提供することができる。
【図面の簡単な説明】
【図１】本発明の実施形態に係るビデオ再生処理システムの全体的なプログラム構成を示すプログラム構成図である。
【図２】本発明の実施形態に係るビデオ再生処理システムのスクリーンセーバーモードに関する処理から見たプログラムモジュールの１構成例を示す構成図である。
【図３】本発明の実施形態に係るビデオ再生処理システムのビデオ情報フィルターの原理を示す説明図である。
【図４】本発明の実施形態に係るビデオ再生処理システムのコントローラーモードの処理により最終的に表示される時刻表示や列車の進行状況を表示する動画アイコンの１例を示す説明図である。
【図５】本発明の実施形態に係るビデオ再生処理システムの下車中モードの処理により最終的に表示される券売機の模擬画面の１例を示す説明図である。
【図６】本発明の実施形態に係るビデオ再生処理システムのスクリーンセーバーモードの処理により最終的に表示される車窓風景回りの模擬画面の１例を示す説明図である。
【図７】本発明の実施形態に係るビデオ再生処理システムを運営するシステム全体のネットワーク構成を示すネットワーク構成図である。
【図８】本発明の実施形態に係るビデオ再生処理システムのスクリーンセーバーモードの時刻同期イベント処理の動作を示すフローチャートである。
【符号の説明】
１  アプリケーションプログラム
２  （ビットマップ／ビデオ）ミキシング処理部
３  オペレーティングシステム
１１  オープニング画面処理部
１２  スクリーンセーバーモード処理部
１３  下車中モード処理部
１４  コントローラーモード処理部
１５  オプション機能画面処理部
１６  ビデオ処理部
１７  静止画描画処理部
３１  （ビデオ／音声）デコード部
３２  映像表示部
３３  音声再生部
【図１】
2004363939.tif 000003
【図２】
2004363939.tif 000004
【図３】
2004363939.tif 000005
【図４】
2004363939.tif 000006
【図５】
2004363939.tif 000007
【図６】
2004363939.tif 000008
【図７】
2004363939.tif 000009
【図８】
2004363939.tif 000010